(57)【特許請求の範囲】
【請求項１】
位置制限孔を有する載置面と、前記載置面に位置し、２つの対向する内側を有するスロットを具備するラグと、を含むハードディスクトレーと、
前記載置面に着脱可能に位置するハードディスクユニットと、
前記ハードディスクユニットの２つの反対側に枢支され、前記スロット内に位置する突出部を有するハンドルと、を備え、
前記ハードディスクユニットはハードディスク本体と、前記ハードディスク本体に固定され、前記ハンドルによって枢支されるハードディスクスタンドと、を備え、前記ハードディスクスタンドが位置制限ブロックを有し、
前記ハンドルは第１係止部を有し、前記ハードディスクトレーは第２係止部を有し、
前記第１係止部は、凹溝を含む可動ブロックと、前記可動ブロックと前記ハンドルに接続されるエラストマーと、を備え、前記第２係止部は、前記凹溝を固定するためのフック体を備え、
前記可動ブロックが前記エラストマーを押し付ける場合、前記凹溝が前記フック体から離れ、
前記ハンドルが前記ハードディスクユニットの第１端と第２端のうち前記第１端に向かって回転される場合、前記突出部は前記ハンドルの回転につれて前記２つの内側の一側に接触し押すことで、前記ハードディスクユニットが前記載置面に対してスライドした後、前記ハードディスクトレーに束縛され、
前記ハンドルが前記ハードディスクユニットの前記第１端に回転される場合、前記位置制限ブロックが前記位置制限孔内に制限され、且つ前記第１係止部が前記第２係止部に固定されることによって、前記ハードディスクユニットが前記ハードディスクトレーに束縛されるサーバー装置。
【請求項２】
前記位置制限孔は互いに接続する大孔と小孔を備え、
前記位置制限ブロックが前記小孔内のみに制限される請求項１に記載のサーバー装置。
【請求項３】
前記ハードディスクトレーに固定され、第１コネクタを有する回路基板をさらに備え、
前記ハードディスクユニットは第２コネクタを含み、前記第２コネクタは前記ハードディスクユニットの前記第２端に位置し、
前記ハンドルが前記ハードディスクユニットの前記第１端に回転される場合、前記第２コネクタが前記第１コネクタに挿抜可能に接続されることによって、前記ハードディスクユニットが前記ハードディスクトレーに束縛される請求項１に記載のサーバー装置。
【発明の詳細な説明】
【技術分野】
【０００１】
本発明はサーバー装置に関し、特にハードディスクユニットを有するサーバー装置に関する。
【背景技術】
【０００２】
従来のサーバー装置には、コンピューターの機能を拡張し又は強化するように、常に取り外し可能な特性を有する複数のハードディスク等を備える場合が多い。
【０００３】
ハードディスクをサーバー装置のケース内に配置するタイプは多種に分けられることができ、例えば、複数のネジによる取り付け態様、直接にハードディスクの両側をサポートフレーム内にロックし、又は、スライドレールによる取り付け態様、直接にハードディスクをサポートフレーム内に滑り込み、再びネジで固定を達成する。
【先行技術文献】
【特許文献】
【０００４】
【特許文献１】米国特許出願公開第２０１０／０２０４８４号明細書
【発明の概要】
【発明が解決しようとする課題】
【０００５】
しかしながら、上記の態様において、データアクセサの取り付けと取り外し時にいずれも大量のネジを捩じ込み又は緩める必要があるため、過程が複雑で、操作が不便である。
【課題を解決するための手段】
【０００６】
これに鑑みて、本発明の一目的は、上記の従来技術に言及する不便と欠陥を解決するためのサーバー装置を提供することにある。
【０００７】
上記の目的を達成するために、本発明の一実施形態によれば、このようなサーバー装置は、ハードディスクトレーと、ハードディスクユニットと、ハンドルと、を備える。ハードディスクトレーが載置面とラグを含み、ラグが載置面に設けられ、且つスロットを有し、また、ラグがスロット内に２つの相対する内側を有する。ハードディスクユニットが載置面に着脱可能に位置する。ハンドルは、ハードディスクユニットの２つの反対側に枢支され、且つスロット内に位置する突出部を有する。
【０００８】
このように、ハンドルがハードディスクユニットの第１端に向かって回転する場合、突出部はハンドルの回転につれて１つの内側に接触し押すことで、ハードディスクユニットが載置面に対してスライドした後、ハードディスクトレーに束縛される。
【０００９】
ハードディスクユニットはハードディスク本体とハードディスクスタンドを備える。ハードディスクスタンドはハードディスクの本体に固定され、ハンドルによって枢支される。
【００１０】
載置面が位置制限孔を有する。ハードディスクスタンドが位置制限ブロックを有する。したがって、ハンドルがハードディスクユニットの第１端に回転される場合、位置制限ブロックが位置制限孔内に制限されることによって、ハードディスクユニットがハードディスクトレーに束縛される。
【００１１】
本発明の１つ又は複数の実施形態において、位置制限孔は互いに接続する大孔と小孔を備え、位置制限ブロックが小孔内のみに制限される。
【００１２】
本発明の１つ又は複数の実施形態において、サーバー装置は回路基板を更に備える。回路基板はハードディスクトレーに固定され、第１コネクタを有する。ハードディスクユニットはハードディスクユニットの第２端に位置する第２コネクタを備える。ハンドルがハードディスクユニットの第１端に回転される場合、第２コネクタが第１コネクタに挿抜可能に接続されることによって、ハードディスクユニットがハードディスクトレーによって束縛される。
【００１３】
本発明の１つ又は複数の実施形態において、ハンドルは第１係止部を有し、ハードディスクトレーは第２係止部を有する。したがって、ハンドルがハードディスクユニットの第１端に回転される場合、第１係止部が第２係止部に固定されることによって、ハードディスクユニットがハードディスクトレーに束縛される。
【００１４】
上記の実施形態において、より具体的に、第１係止部は可動ブロックとエラストマーを備える。可動ブロックは凹溝を含み、エラストマーは可動ブロックとハンドルに接続され、第２係止部は凹溝を固定するためのフック体を備える。したがって、可動ブロックがエラストマーを押し付ける場合、フック体が凹溝から離脱する。
【００１５】
本発明の１つ又は複数の実施形態において、ハンドルは凸点を有し、ハードディスクスタンドは凹部を有する。ハンドルがハードディスクユニットから離れる第２端に回転される場合、ハードディスクユニットがハードディスクトレーに解放され、凸点が凹部内に伸び込まれ位置が制限される。
【００１６】
本発明の１つ又は複数の実施形態において、ハードディスクトレーの２つの反対外側はそれぞれスライドレールを有する。
【００１７】
本発明の１つ又は複数の実施形態において、ハードディスクスタンドは更にストッパ部を有する。ハンドルがハードディスクユニットの第１端に回転される場合、ストッパ部はハンドルが回転し続けることを阻止する。
【発明の効果】
【００１８】
以上をまとめると、本発明の技術方法は従来の技術に比べて、著しいメリットと有益な効果を有する。上記の技術方法によって、相当な技術進歩に達成でき、産業における幅広い使用価値を有し、少なくとも次のようなメリットを有する。
【００１９】
１、ハードディスクの組み立て効率を向上させる。
【００２０】
２、ハードディスクの配置数を増加する。
【００２１】
３、ハードディスクの取り出し又は取り付けの利便性を向上させる。
【００２２】
以下、実施形態によって上記の内容を詳しく説明し、本発明の技術方法について更に解釈する。
【図面の簡単な説明】
【００２３】
【図１】本発明の一実施例に係るサーバー装置の部分位置を示す分解図である。
【図２Ａ】図１の部分Ｍ１を示す拡大図である。
【図２Ｂ】図１の部分Ｍ２を示す拡大図である。
【図３Ａ】本発明の一実施例に係るサーバー装置にハードディスクユニットを取り付ける異なる段階を示す側面図である。
【図３Ｂ】本発明の一実施例に係るサーバー装置にハードディスクユニットを取り付ける異なる段階を示す側面図である。
【図３Ｃ】本発明の一実施例に係るサーバー装置にハードディスクユニットを取り付ける異なる段階を示す側面図である。
【図４Ａ】本発明の一実施例に係るサーバー装置にハードディスクユニットを取り付ける異なる段階を示す底面図である。
【図４Ｂ】本発明の一実施例に係るサーバー装置にハードディスクユニットを取り付ける異なる段階を示す底面図である。
【図５Ａ】本発明の一実施例に係るサーバー装置にハードディスクユニットを取り外す異なる段階を示す側面図である。
【図５Ｂ】本発明の一実施例に係るサーバー装置にハードディスクユニットを取り外す異なる段階を示す側面図である。
【図５Ｃ】本発明の一実施例に係るサーバー装置にハードディスクユニットを取り外す異なる段階を示す側面図である。
【発明を実施するための形態】
【００２４】
以下、図面に基づいて本発明の複数の実施形態を説明し、明らかに説明するために、多くの実際の細部を以下の説明で併せて説明する。しかしながら、これらの実際の細部は本発明を制限するためのものではないことが理解すべきである。つまり、本発明の部分の実施形態において、これらの実際の細部は必要なものではない。そのほか、図面を簡略化するために、ある従来慣用の構造と素子を図面において簡単に模式的に示す。
【００２５】
図１、図２Ａ及び図２Ｂを参照されたい。図１は本発明の一実施例に係るサーバー装置１００の部分位置を示す分解図である。図２Ａは図１の部分Ｍ１を示す拡大図である。図２Ｂは図１の部分Ｍ２を示す拡大図である。本発明の一実施形態によれば、このようなサーバー装置１００はハードディスクトレー２００と、少なくとも１つのハードディスクユニット４００と、少なくとも１つのハンドル５００と、を備える。ハードディスクトレー２００は載置面２１０と少なくとも２つのラグ２８０を含み、この２つのラグ２８０は相対的に載置面２１０に設けられる。複数のラグ２８０のそれぞれにスロット２９０を有し、ラグ２８０にスロット２９０内に対向する第１内側２８１と第２内側２８２を持たせる。ハードディスクユニット４００はハードディスクトレー２００の載置面２１０に着脱可能に位置し、この２つのラグ２８０の間に介在し、また、ハードディスクユニット４００は対向する第１端４０１と第２端４０２を有する。ハンドル５００に２つの突出部５４０と２つの枢支部５６０を有し、この２つの枢支部５６０によって、ハンドル５００の２つの反対端はそれぞれハードディスクユニット４００の２つの反対側に枢支される。突出部５４０はそれぞれハンドル５００の２つの反対端に位置し、且つそれぞれ対応するスロット２９０内に位置する。
【００２６】
このように、ハンドル５００はハードディスクユニット４００の第１端４０１に向かって回転する場合、ハードディスクユニット４００を載置面２１０に対して横方向にスライドさせるように同時に連動することができて、ハードディスクトレー２００に束縛され、逆に、ハンドル５００はハードディスクユニット４００の第１端４０１からハードディスクユニット４００の第２端４０２の方向に向かって回転する場合、ハードディスクユニット４００を載置面２１０に対して横方向にスライドさせるように同時に連動することができて、ハードディスクユニット４００に対しての束縛を解放する。
【００２７】
本実施態様において、具体的に、ハードディスクトレー２００は第１側板２３０と第２側板２５０を更に備え、第１側板２３０と第２側板２５０が互いに平行するようにそれぞれ載置面２１０の２つの反対側縁に位置し、且つともに載置面２１０から延伸方向Ｄ１に沿って延伸して、第１側板２３０、第２側板２５０及び載置面２１０がともに収納空間２６０を形成することとなる。
【００２８】
収納空間２６０内に複数のハードディスクユニット４００を置くことができ、これらのハードディスクユニット４００はクラスター形態で載置面２１０に配列し、例えば、一般化された配列の配置態様で単層的にハードディスクトレー２００に並ぶ。このように、これらのハードディスクユニット４００はハードディスクトレー２００において自由に交換されることができる。しかしながら、本発明は上記の配置態様に制限されない。このように、複数のハードディスクユニット４００のいずれも１つのハンドル５００に互いに枢支されることができる。ハードディスクトレー２００は複数のハードディスクユニット４００のそれぞれの２つの反対外側の横に２つのラグ２８０が立設されて、複数のハードディスクユニット４００のいずれもハンドル５００の回転によってハードディスクトレー２００に束縛し又は解放されることができる。
【００２９】
サーバー装置１００はストレージアレイ裏板３００を更に備える。ストレージアレイ裏板３００は回路基板であり、ハードディスクトレー２００に固定される。また、ストレージアレイ裏板３００に、ハードディスクユニット４００に電気的に接続するための少なくとも１つの第１コネクタ３１０（例えばハードディスク接続端子）を有する。本実施態様において、ストレージアレイ裏板３００はハードディスクトレー２００の載置面２１０に立設され、且つ２列のハードディスクユニット４００の間に介在する。ストレージアレイ裏板３００に複数の第１コネクタ３１０を有し、これらの第１コネクタ３１０はそれぞれ間隔的にストレージアレイ裏板３００の２つの反対側に配列する。
【００３０】
複数のハードディスクユニット４００のそれぞれはハードディスク本体４１０とハードディスクスタンド４３０を備える。ハードディスク本体４１０はほぼ矩形体を呈し、２つの対向する主面４１１、２つの対向する側面４１２及び２つの対向する端面４１３を備える。複数の側面４１２それぞれがこの２つの端面４１３に隣接し、複数の端面４１３のそれぞれがこの２つの側面４１２に隣接し、したがって、この２つの主面４１１はこの２つの側面４１２とこの２つの端面４１３に取り囲まれて接続される。ハードディスク本体４１０は最も一般的なハードディスク製品であり、ハードディスクエンクロージャと組み合わせなくてもよいため、ハードディスク本体４１０は「ベアディスク」と理解されてもよい。ハードディスクユニット４００の第１端４０１と第２端４０２はそれぞれハードディスク本体４１０の両端面４１３とされ、ハードディスクユニット４００の第２端４０２に第２コネクタ４２０（例えばハードディスク接続端子）が設けられ、第２コネクタ４２０は１つの第１コネクタ３１０に挿抜可能に結合されるための工具不要な接続コネクタである。
【００３１】
ハードディスクスタンド４３０はハードディスク本体４１０に固定され、例えば、ハードディスクスタンド４３０の断面はＵ形を呈し、ハードディスク本体４１０の下の主面４１１及びその隣接する２つの側面４１２に位置し、ボルト５７０によってハードディスク本体４１０のこの２つの側面４１２にロックされる。
【００３２】
ハンドル５００はＵ形を呈し、２つの支持アーム５３０と把持部５１０を備え、この２つの支持アーム５３０は把持部５１０の２つの反対端に位置し、且つともに延伸方向Ｄ２に向かってハードディスクスタンド４３０に延伸する。ハンドル５００の２つの支持アーム５３０はこの２つの枢支部５６０によって、それぞれハードディスクスタンド４３０の２つの反対側に枢支される。図２Ｂに示すように、複数の支持アーム５３０のそれぞれはメインアーム体５３１とフランジ５３２を更に備える。この２つのメインアーム体５３１は延伸方向Ｄ２に向かって延伸し、この２つのフランジ５３２はともに延伸方向Ｄ３に沿って延伸し、延伸方向Ｄ３と延伸方向Ｄ２は互いに直交し、又は少なくともほぼ直交する。また、複数の枢支部５６０のそれぞれはフランジ５３２上に位置し、且つ複数の突出部５４０のそれぞれはメインアーム体５３１とフランジ５３２の接続部に位置する。
【００３３】
また、ハンドル５００は第１係止部５２０を有し、ハードディスクトレー２００は第２係止部２４０（図２Ａ）を有する。したがって、ハードディスクユニット４００はハードディスクトレー２００によって束縛される場合、第１係止部５２０は第２係止部２４０に固定されることに用いられる。図１に示すように、第１係止部５２０は把持部５１０に位置し、例えば、可動ブロック５２１とエラストマー５２３を備える。可動ブロック５２１は少なくとも１つの凹溝５２２を備え、エラストマー５２３は可動ブロック５２１とハンドル５００の把持部５１０の間に位置し、その両端はそれぞれ可動ブロック５２１とハンドル５００の把持部５１０に当接される。第２係止部２４０は第１側板２３０の内面（図２Ａ）に位置し、凹溝５２２を固定するための少なくとも１つのフック体２４１を備える。
【００３４】
また、ハードディスクトレー２００はケース（図示せず）内に摺動可能に位置し、ハードディスクトレー２００が自由にケース内から伸びだし又はそれに引き込まれることができ、これらのハードディスクユニット４００を操作することに寄与する。ハードディスクトレー２００の２つの反対外側（即ち第１側板２３０と第２側板２５０）はそれぞれスライドレール２７０を有する。この２つのスライドレール２７０はそれぞれケース内の対応なスライドレール（図示せず）に互いに連結される。
【００３５】
図３Ａ〜図３Ｃはそれぞれ本発明の一実施態様のサーバー装置にハードディスクユニットを取り付ける異なる段階を示す側面図である。以下、使用者は如何に本発明によってハードディスクユニット４００をハードディスクトレー２００に取り付ける過程を説明し、図３Ａに示すように、使用者はハードディスクユニット４００をハードディスクトレー２００に取り付けたい場合、使用者は、まずハードディスクユニット４００を垂直に載置面２１０に置き、このとき、使用者がスロット２９０を位置合わせマークとして使用することができ、ハンドル５００の突出部５４０を対応なスロット２９０内に進入させる。
【００３６】
次に、図３Ｂに示すように、使用者はハンドル５００をハードディスクユニット４００の第１端４０１に向かって回転させ、使用者はハンドル５００を回転する過程において、ハンドル５００の回転につれて、突出部５４０は枢支部５６０を軸に回転し、更に、スロット２９０内に接触してラグ２８０の第１内側２８１を押し、このとき、その代わりにハードディスクユニット４００をストレージアレイ裏板３００の方向Ｓ１に向かって載置面２１０に対してスライドさせ、更に第２コネクタ４２０を第１コネクタ３１０(図３Ｃ)に挿抜可能に接続させる。このように、第２コネクタ４２０は第１コネクタ３１０に接続されるため、ある程度に、ハードディスクユニット４００はハードディスクトレー２００に束縛される。
【００３７】
このとき、図３Ｃは、ハンドル５００の把持部５１０が完全にハードディスクユニット４００の第１端４０１、即ちハードディスクユニット４００の第１端４０１と第１側板２３０の間に回転されたため、フック体２４１は可動ブロック５２１の凹溝５２２に伸び込まれることができ、凹溝５２２の運動を制限し、更にハンドル５００を固定する目的に達する。このように、ハンドル５００がハードディスクユニット４００の第１端４０１に固定されるため、ある程度に、ハードディスクユニット４００はハードディスクトレー２００に束縛される。
【００３８】
また、ハードディスクスタンド４３０の２つの反対側に更にそれぞれストッパ部４６０を有する。このように、ハンドル５００の把持部５１０は完全にハードディスクユニット４００の第１端４０１、即ちハードディスクユニット４００の第１端４０１と第１側板２３０の間に回転された場合、ストッパ部４６０はハンドル５００が回転し続けるのを阻止する。
【００３９】
分かる必要があるのは、本発明の属する技術分野における者（当業者）は、ハードディスクユニット４００がストレージアレイ裏板３００に向かって移動する幅を考えて、ラグ２８０の第１内側２８１を平面又は弧面に設計する実施態様を選択することである。
【００４０】
図１と図２Ａに戻し、ハードディスクユニット４００がより効果的にハードディスクトレー２００に束縛されるため、本実施態様において、載置面２１０は更に少なくとも１つの位置制限孔２２０を有する。複数の位置制限孔２２０のそれぞれは互いに接続する大孔２２１と小孔２２２を備える。ハードディスクスタンド４３０は更に少なくとも１つの位置制限ブロック４４０を有する。位置制限ブロック４４０は位置制限孔２２０の小孔２２２内のみに束縛される。位置制限孔２２０は、例えばタガネ孔又はタガネ孔機能に類似する開孔であってよい。
【００４１】
具体的に、位置制限ブロック４４０は互いに接続するヘッド４４１とネック部４４２を備える。ヘッド４４１の直径はネック部４４２の直径より大きい。位置制限孔２２０の大孔２２１の口径２２１Ａは小孔２２２の口径２２２Ａより大きく、且つ位置制限ブロック４４０のヘッド４４１の直径より大きい。位置制限ブロック４４０のネック部４４２は位置制限孔２２０の大孔２２１から小孔２２２に移入する場合、位置制限ブロック４４０のヘッド４４１は位置制限孔２２０の小孔２２２内に制限され、小孔２２２の軸方向に沿って小孔２２２から離れることができない。位置制限ブロック４４０のヘッド４４１は位置制限孔２２０の大孔２２１のみからこの大孔２２１の軸方向に沿って大孔２２１から離れることができる。
【００４２】
位置制限ブロック４４０はハードディスクスタンド４３０に別途に装着され、しかしながら、本発明はこれに制限されなく、位置制限ブロック４４０もハードディスクスタンド４３０に一体に成形されることに制限されない。
【００４３】
図４Ａ〜図４Ｂはそれぞれ本発明の一実施例に係るサーバー装置１００におけるハードディスクユニット４００を取り付ける異なる段階の底面図である。図３Ａと図４Ａに示すように、使用者はハードディスクユニット４００を垂直に載置面２１０上に置く場合、位置制限孔２２０を位置合わせマークとして使用することができ、位置制限ブロック４４０のヘッド４４１をちゃんと対応な位置制限孔２２０内に進入させ、即ち位置制限ブロック４４０のヘッド４４１を大孔２２１内に進入させる。
【００４４】
次に、図４Ｂに示すように、使用者はハンドル５００をハードディスクユニット４００の第１端４０１に回転する場合、ハードディスクユニット４００がストレージアレイ裏板３００の方向Ｓ１に向かって載置面２１０に対してスライドするため、位置制限ブロック４４０もハードディスクユニット４００のスライドにつれて、位置制限孔２２０の大孔２２１から位置制限孔２２０の小孔２２２内に並進し、更に位置制限孔２２０の小孔２２２内に制限される。このように、ハードディスクユニット４００はより効果的にハードディスクトレー２００に束縛される。
【００４５】
分かる必要があるのは、図４Ａに示すように、位置制限ブロック４４０と位置制限孔２２０の配置によって、ハードディスクユニット４００はＺ軸に沿って運動できなく、図３Ｃに示すように、ストレージアレイ裏板３００と第１側板２３０の配置によって、ハードディスクユニット４００はＸ軸に沿って運動できなく、及び図１に示すように、この２つのラグ２８０の配置によって、ハードディスクユニット４００はＹ軸に沿って運動できなく、このように、このハードディスクユニット４００がハードディスクトレー２００に三次元的に固定されることになる。
【００４６】
図５Ａ〜図５Ｃはそれぞれ本発明の一実施例に係るサーバー装置１００にハードディスクユニット４００を取り外す異なる段階を示す側面図である。以下、使用者は如何に本発明によってハードディスクユニット４００をハードディスクトレー２００から取り出す過程を説明し、図５Ａに示すように、使用者はハードディスクユニット４００を取り出したい場合、使用者は、まず可動ブロック５２１を押してエラストマー５２３(図１)を押し付け、可動ブロック５２１の変位によって、凹溝５２２はフック体２４１から離れて、フック体２４１に束縛されることができない。
【００４７】
次に、図５Ａに示すように、使用者はハンドル５００を把握し、使用者はハンドル５００をハードディスクユニット４００が第１端４０１から離れる方向に向かって（即ち第２端４０２に向かって）回転する時に、使用者はハンドル５００を回転する過程において、ハンドル５００の回転につれて、突出部５４０は枢支部５６０を軸に回転し、更にスロット２９０内の第２内側２８２に接触する。次に、５Ｂに示すように、突出部５４０は枢支部５６０を回って回転し続ける場合、突出部５４０はスロット２９０内に第２内側２８２を押し、このとき、その代わりにハードディスクユニット４００をストレージアレイ裏板３００から離れる方向Ｓ２に向かって（即ち第１側板２３０に向かって）載置面２１０に対してスライドさせ、更に第２コネクタ４２０を第１コネクタ３１０から離れさせる。図５Ｃに示すように、使用者はハンドル５００をハードディスクユニット４００の上方に回転するまで、使用者はハンドル５００によってハードディスクユニット４００をハードディスクトレー２００から垂直に取り出す(図４Ａを参照)。
【００４８】
分かる必要があるのは、当業者は、ハードディスクユニット４００がストレージアレイ裏板３００に向かって移動する幅を考えて、ラグ２８０の第２内側２８２を平面又は弧面に設計する実施態様を選択することである。
【００４９】
使用者はハンドル５００によってハードディスクユニット４００をハードディスクトレー２００から取り出す時に、ハンドル５００がハードディスクユニット４００から意外にハードディスクユニット４００に対して揺れることを避けるように、図２Ｂに戻し、ハンドル５００の支持アーム５３０は凸点５５０を有し、凸点５５０は例えば支持アーム５３０がハードディスクスタンド４３０に向かい合う表面に位置する。ハードディスクスタンド４３０は凹部４５０を有する。凹部４５０はボルト５７０がハードディスクスタンド４３０を通りつけるネジ孔であってよく、凹部４５０のサイズと凸点５５０とのサイズは同じ又は異なってもよい。
【００５０】
このように、図５Ｃに示すように、使用者はハンドル５００をハードディスクユニット４００の上方に回転する場合、ハンドル５００の支持アーム５３０の延伸方向Ｄ２とハードディスク本体４１０の側面４１２の長軸方向Ｄ４は互いに直交し、このとき、凸点５５０はちゃんと凹部４５０内に伸び込まれ及び制限され、ハードディスクユニット４００とハンドル５００の間の位置を固定し、ハードディスクユニット４００は衝撃によって損傷する機会を低下させるようにする。
【００５１】
しかしながら、ハードディスクスタンドは必要な素子ではなく、他の実施態様において、ハードディスクスタンドを省略して、ハードディスク本体が直接にハンドルによって枢支されそして直接にハードディスクトレーに制限されることに変更してもよく、上記したハードディスクスタンドに位置した素子も直接にハードディスク本体に位置してもよい。
【００５２】
以上をまとめると、サーバー装置は迅速にハードディスクを取り出し又は取り付ける態様を提供し、ハードディスクユニットに枢支されるハンドルのみによって、付加の組み立て工具を使用せずに、迅速にハードディスクを取り出し又は取り付けることができ、効果的に組み立ての効率及び利便性を向上させる。
【００５３】
最後、上記の開示した実施例において、本発明を限定するものではなく、当業者なら誰でも、本発明の精神と領域から逸脱しない限り、多様の変更や修正を加えることができる。従って、本発明の保護範囲は、後の特許請求の範囲で指定した内容を基準とする。
【符号の説明】
【００５４】
１００  サーバー装置
２００  ハードディスクトレー
２１０  載置面
２２０  位置制限孔
２２１  大孔
２２２  小孔
２２１Ａ、２２２Ａ  口径
２３０  第１側板
２４０  第２係止部
２４１  フック体
２５０  第２側板
２６０  収納空間
２７０  スライドレール
２８０  ラグ
２８１  第１内側
２８２  第２内側
２９０  スロット
３００  ストレージアレイ裏板
３１０  第１コネクタ
４００  ハードディスクユニット
４０１  第１端
４０２  第２端
４１０  ハードディスク本体
４１１  主面
４１２  側面
４１３  端面
４２０  第２コネクタ
４３０  ハードディスクスタンド
４４０  位置制限ブロック
４４１  ヘッド
４４２  ネック部
４５０  凹部
４６０  ストッパ部
５００  ハンドル
５１０  把持部
５２０  第１係止部
５２１  可動ブロック
５２２  凹溝
５２３  エラストマー
５３０  支持アーム
５３１  メインアーム体
５３２  フランジ
５４０  突出部
５５０  凸点
５６０  枢支部
５７０  ボルト
Ｄ１〜Ｄ３  延伸方向
Ｄ４  長軸方向
Ｓ１、Ｓ２  方向
Ｍ１、Ｍ２  部分
Ｘ、Ｙ、Ｚ  軸
【図１】
0005927734.tif 000002
【図３Ａ】
0005927734.tif 000003
【図２Ａ】
0005927734.tif 000004
【図２Ｂ】
0005927734.tif 000005
【図３Ｂ】
0005927734.tif 000006
【図３Ｃ】
0005927734.tif 000007
【図４Ａ】
0005927734.tif 000008
【図４Ｂ】
0005927734.tif 000009
【図５Ａ】
0005927734.tif 000010
【図５Ｂ】
0005927734.tif 000011
【図５Ｃ】
0005927734.tif 000012